(57)【要約】【課題】景品の交換確定の猶予を確保しながら、混雑時には景品交換を円滑に行うことが可能となる景品交換システムを提供する。【解決手段】レシートを受付けた場合に（Ｓ１：ＹＥＳ）、交換釦が押下げられたときは（Ｓ６：ＹＥＳ）、残玉数により交換可能な特殊景品を仮特定し（Ｓ１０）、終了釦が押下げられたときは（Ｓ２０：ＹＥＳ）、仮特定している全景品の交換を確定すると共に（Ｓ２１）、景品払出信号を出力することにより特殊景品を払出す（Ｓ２５）。交換釦が押下げられた場合に、混雑時であったときは（Ｓ７：ＹＥＳ）、残玉数により交換可能な特殊景品の交換を確定するのに加えて（Ｓ８）、景品払出信号を出力し（Ｓ９）、終了釦が押下げられたときは（Ｓ２０：ＹＥＳ）、仮特定している全景品の交換を確定することのみ実行する（Ｓ２１）。【選択図】図３
2008229148.tif 000002
【特許請求の範囲】
【請求項１】
遊技者が獲得した遊技媒体数を特定可能な遊技媒体情報を受付ける受付手段と、前記受付手段が受付けた遊技媒体情報と交換する景品とを対応付ける交換処理を行う交換手段と、特定の景品を払出す景品払出装置に対して景品払出信号を出力する出力手段とを備えた景品交換システムであって、
前記交換手段の交換処理において、前記景品払出装置にて払出す特定の景品を選択する操作である第１の操作を受付ける第１操作受付手段と、
前記交換手段の交換処理を終了する操作である第２の操作を受付ける第２操作受付手段と、
遊技者が交換処理のために待機状態にあるか否かを判定する判定手段とを備え、
前記交換手段は、前記第１操作受付手段による第１の操作の受付け後、遊技媒体情報により特定される遊技媒体数から第１の操作により特定された特定の景品に対応する遊技媒体数を差引いた遊技媒体数について、前記特定の景品以外の景品との交換処理を行い、前記第２操作受付手段が第２の操作を受付けたことに応じて当該交換処理を終了し、
前記出力手段は、前記判定手段が遊技者は待機状態にあると判定している場合には、前記第１操作受付手段が第１の操作を受付けたことに応じて景品払出信号を出力する一方、前記判定手段が待機状態にないと判定している場合には、前記第２操作受付手段が第２の操作を受付けたことに応じて景品払出信号を出力することを特徴とする景品交換システム。
【請求項２】
前記第１操作受付手段が第１の操作を受付けてから、前記出力手段が景品払出信号を出力するまで有効となり、第１の操作をキャンセルする第３の操作を受付ける第３操作受付手段を備えたことを特徴とする請求項１記載の景品交換システム。
【請求項３】
前記判定手段は、前記交換手段における交換処理の終了から所定期間以内に前記受付手段が遊技媒体情報を受付けた場合に、遊技者が交換処理のために待機状態にあると判定することを特徴とする請求項１または２記載の景品交換システム。
【請求項４】
前記交換手段が交換処理を行う交換処理時刻を特定可能な時刻特定手段と、
時間帯毎に予め混雑しているか否かを設定する設定手段とを備え、
前記判定手段は、前記時刻特定手段により特定される前記交換処理時刻が前記設定手段が混雑していると設定する時刻に属する場合に、遊技者が交換処理のために待機状態にあると判定することを特徴とする請求項１または２記載の景品交換システム。
【請求項５】
遊技者が獲得した遊技媒体数を特定可能な遊技媒体情報を受付ける受付手段と、前記受付手段が受付けた遊技媒体情報と交換する景品とを対応付ける交換処理を行う交換手段と、特定の景品を払出す景品払出装置に対して景品払出信号を出力する出力手段とを備えた景品交換システムであって、
前記交換手段の交換処理において、前記景品払出装置にて払出す特定の景品を選択する操作である第１の操作を受付ける第１操作受付手段と、
前記交換手段の交換処理を終了する操作である第２の操作を受付ける第２操作受付手段と、
前記交換手段の交換処理において、遊技者が交換処理のために待機状態にある場合に、景品払出装置にて払出す特定の景品を選択する操作である第４の操作を受付ける第４操作受付手段とを備え、
前記交換手段は、前記第１操作受付手段による第１の操作の受付け後、或いは前記第４操作受付手段による第４の操作の受付け後、遊技媒体情報により特定される遊技媒体数から第１の操作、或いは第４の操作により特定された特定の景品に対応する遊技媒体数を差引いた遊技媒体数について、前記特定の景品以外の景品との交換処理を行い、前記第２操作受付手段が第２の操作を受付けたことに応じて当該交換処理を終了し、
前記出力手段は、前記第１操作受付手段が第１の操作を受付けた後に前記第２操作受付手段が第２の操作を受付けたこと、或いは前記第４の操作受付手段が第４の操作を受付けたことに応じて景品払出信号を出力することを特徴とする景品交換システム。
【発明の詳細な説明】
【技術分野】
【０００１】
本発明は、遊技媒体情報と景品とを対応付ける交換処理を行う交換手段と、特定の景品を払出す景品払出装置とを備えた景品交換システムに関する。
【背景技術】
【０００２】
従来、パチンコホールなどの遊技場に設けられる景品交換システムとして、交換管理装置（所謂、ＰＯＳ端末）と特殊景品を払出す景品払出装置とを接続し、遊技者が獲得した遊技媒体と景品とを交換する際に、ＰＯＳ端末から景品品種及び数量を特定する信号（所謂、景品払出信号）を景品払出装置へと出力し、景品払出装置にて特殊景品を払出す景品交換システムが提供されている。
【特許文献１】特開平０６−２８５２４４号公報
【発明の開示】
【発明が解決しようとする課題】
【０００３】
このような景品交換システムにおけるＰＯＳ端末の処理として、計数機にて発行されたレシートを読取って獲得遊技媒体を特定し、獲得遊技媒体により交換可能な特殊景品の景品品種及び数量を特定し、更に特定した特殊景品相当の遊技媒体を獲得遊技媒体から差引いた余り遊技媒体（所謂、余り玉）と、他の景品（所謂、端玉景品等）とを対応付けた上で交換処理を終了し、交換処理が終了した事をもって景品払出信号を出力するようにしている。
【０００４】
このように交換処理の終了を待って景品払出信号を出力すると、交換処理の途中で遊技者に心変わりが有り、特殊景品に優先して他の景品との交換を希望する場合に、柔軟に対応できる効果がある。即ち、交換処理の終了後に対応する場合には、交換した景品と、新たに希望する景品とを取り替える取替処理が別途必要となるが（取替処理は、従業員の不正を考慮して特定の従業員に権限を与え、権限のある従業員のみに換作を可能とさせるので、処理が複雑になる）、交換処理が終了していなければ特殊景品を特定した操作のキャンセル処理のみで対応が可能となる。また、ＰＯＳ端末自体の交換処理も終了操作があった場合だけ交換確定処理を行えば良く、処理負担が軽減される効果もある。
【０００５】
しかしながら、閉店時など混雑時には交換処理が終了するまで待って景品払出信号を出力する構成であると、ＰＯＳ端末における交換処理が終了した後、更に景品払出機による払出処理を待たなければならなくなる。特に、景品払出機からの景品の払出数が多い場合には、遊技者を余計に待たせることになり、遊技者を不快にさせてしまう虞がある。
【０００６】
本発明は上記事情に鑑みてなされたもので、その目的は、景品の交換確定の猶予を確保しながら、混雑時には景品交換を円滑に行うことが可能となる景品交換システムを提供することにある。
【課題を解決するための手段】
【０００７】
本発明は、遊技者が獲得した遊技媒体数を特定可能な遊技媒体情報を受付ける受付手段と、前記受付手段が受付けた遊技媒体情報と交換する景品とを対応付ける交換処理を行う交換手段と、特定の景品を払出す景品払出装置に対して景品払出信号を出力する出力手段とを備えた景品交換システムであって、前記交換手段の交換処理において、前記景品払出装置にて払出す特定の景品を選択する操作である第１の操作を受付ける第１操作受付手段と、前記交換手段の交換処理を終了する操作である第２の操作を受付ける第２操作受付手段と、遊技者が交換処理のために待機状態にあるか否かを判定する判定手段とを備え、前記交換手段は、前記第１操作受付手段による第１の操作の受付け後、遊技媒体情報により特定される遊技媒体数から第１の操作により特定された特定の景品に対応する遊技媒体数を差引いた遊技媒体数について、前記特定の景品以外の景品との交換処理を行い、前記第２操作受付手段が第２の操作を受付けたことに応じて当該交換処理を終了し、前記出力手段は、前記判定手段が遊技者は待機状態にあると判定している場合には、前記第１操作受付手段が第１の操作を受付けたことに応じて景品払出信号を出力する一方、前記判定手段が待機状態にないと判定している場合には、前記第２操作受付手段が第２の操作を受付けたことに応じて景品払出信号を出力するものである（請求項１）。
【０００８】
上記構成において、前記第１操作受付手段が第１の操作を受付けてから、前記出力手段が景品払出信号を出力するまで有効となり、第１の操作をキャンセルする第３の操作を受付ける第３操作受付手段を備えるようにしてもよい（請求項２）。
【０００９】
また、前記判定手段は、前記交換手段における交換処理の終了から所定期間以内に前記受付手段が遊技媒体情報を受付けた場合に、遊技者が交換処理のために待機状態にあると判定するようにしてもよい（請求項３）。
【００１０】
また、前記交換手段が交換処理を行う交換処理時刻を特定可能な時刻特定手段と、時間帯毎に予め混雑しているか否かを設定する設定手段とを備え、前記判定手段は、前記時刻特定手段により特定される前記交換処理時刻が前記設定手段が混雑していると設定する時刻に属する場合に、遊技者が交換処理のために待機状態にあると判定するようにしてもよい（請求項４）。
【００１１】
本発明は、遊技者が獲得した遊技媒体数を特定可能な遊技媒体情報を受付ける受付手段と、前記受付手段が受付けた遊技媒体情報と交換する景品とを対応付ける交換処理を行う交換手段と、特定の景品を払出す景品払出装置に対して景品払出信号を出力する出力手段とを備えた景品交換システムであって、前記交換手段の交換処理において、前記景品払出装置にて払出す特定の景品を選択する操作である第１の操作を受付ける第１操作受付手段と、前記交換手段の交換処理を終了する操作である第２の操作を受付ける第２操作受付手段と、前記交換手段の交換処理において、遊技者が交換処理のために待機状態にある場合に、景品払出装置にて払出す特定の景品を選択する操作である第４の操作を受付ける第４操作受付手段とを備え、前記交換手段は、前記第１操作受付手段による第１の操作の受付け後、或いは前記第４操作受付手段による第４の操作の受付け後、遊技媒体情報により特定される遊技媒体数から第１の操作、或いは第４の操作により特定された特定の景品に対応する遊技媒体数を差引いた遊技媒体数について、前記特定の景品以外の景品との交換処理を行い、前記第２操作受付手段が第２の操作を受付けたことに応じて当該交換処理を終了し、前記出力手段は、前記第１操作受付手段が第１の操作を受付けた後に前記第２操作受付手段が第２の操作を受付けたこと、或いは前記第４の操作受付手段が第４の操作を受付けたことに応じて景品払出信号を出力するものである（請求項５）。
【発明の効果】
【００１２】
請求項１の発明によれば、交換処理のために遊技者が待機している（並んでいる）場合には、特定の景品については、特定の景品を特定する操作である第１操作受付手段に対する第１の操作に応じて景品払出装置に景品払出信号を早めに出力し、特定の景品以外の景品との交換処理を行っている間に景品払出装置による景品払出処理が行われるようになる。従って、景品払出装置からの特定の景品の払出しに時間を要する場合であっても、並んでいる遊技者を待たせる時間を短縮でき、遊技者の不快感を軽減できる一方、遊技者が並んでいない場合には、交換処理の確定をできるだけ遅くして、交換処理の変更にできるだけ対応可能となる。
【００１３】
請求項２の発明によれば、遊技者が並んでいない場合には、終了操作が行われるまでキャンセル操作が有効となるので、交換処理の途中で遊技者の心変わりがあったとしても柔軟に対応できる。
【００１４】
請求項３の発明によれば、遊技者の待機状態をソフト的手段で検出することができるので、ハード的手段を設けることなく実施することができる。
請求項４の発明によれば、時間帯毎に混雑しているか否かを設定することができるので、特別な手段を設けることなく実施することができる。
【００１５】
請求項５の発明によれば、混雑時には、第４操作受付手段に対する第４の操作により、第１操作受付手段が第１の操作を受付けた後に第２操作受付手段が第２の操作を受付けた場合と同様に、景品払出装置へ景品払出信号を出力することができるので、請求項１のように遊技者が交換処理のために待機状態にあるか否かを判定する判定手段を設けることなく、交換処理のための遊技者の待機状態を解消することができる。
【発明を実施するための最良の形態】
【００１６】
以下、本発明の一実施例について図１ないし図３を参照して説明する。
図１は、システムの全体構成を示す概略図である。この図１において、遊技台１、計数装置２、ＰＯＳ端末（受付手段、交換手段、出力手段、判定手段に相当）３、管理装置４は、ＬＡＮ５等のネットワークにより互いに接続されている。尚、遊技台１に対応して台間玉貸機等の付随設備が設けられているものの、本発明を構成するものではないことから、その説明及び図示を省略する。
【００１７】
管理装置４は、計数装置２の計数状況、ＰＯＳ端末３の交換状況、景品の在庫状況に加えて、計数装置２やＰＯＳ端末３の設定等を管理している。尚、計数装置２、ＰＯＳ端末３でも各々の状況は記憶・管理するようになっている。
計数装置２は、遊技者が遊技台１の遊技により獲得した遊技媒体（メダル等の遊技媒体であっても良いが、以下、代表してパチンコ玉とする）を計数部に投入すると、計数処理を行い、計数した玉を特定可能な記録媒体であるレシート（図示せず）を発行する。
ＰＯＳ端末３は、景品払出装置６とも接続されており、景品払出装置６にて払出しが可能である特定の景品（換金が可能な特殊景品）の景品品種、及び数量が特定可能な景品払出信号を景品払出装置６に対して出力可能となっている。
【００１８】
図２は、ＰＯＳ端末３を示す斜視図である。この図２において、ＰＯＳ端末３は、テンキー７、ＰＬＵ（Price Look Up）釦８、交換釦（第１操作受付手段に相当）９、終了釦（第２操作受付手段に相当）１０、キャンセル釦（第３操作受付手段に相当）１１、その他の操作釦（貯玉操作、入庫操作等）、レシート発行部１２、表示部１３、レシートを受付ける受付手段として図示しないスキャナ等を備えて構成されている。交換釦９は、通常時においては特殊景品の交換を仮確定するための釦であるが、本実施例では、後述するように条件に応じて特殊景品の交換を直ちに確定して景品交換信号を景品払出装置に出力するためにも用いられる。終了釦１０は、通常時においては仮特定している特殊景品を確定して景品交換信号を景品払出装置６に出力するための釦であるが、本実施例では、後述するように条件に応じて単に交換終了するだけのために用いられる場合もある。キャンセル釦１１は、通常時において交換釦９が押下げられてから終了釦が押下げられるまでの間は、特殊景品の仮特定をキャンセル可能とするための釦であるが、本実施例では、後述するように条件に応じてキャンセルが機能しない場合もある。つまり、本実施例では、交換釦９及び終了釦１０並びにキャンセル釦１１は、条件に応じてその機能が本来の機能と異なるようになっている。
【００１９】
景品払出装置は、複数種類（例えば３種類）の交換金額が異なる特殊景品を収納可能（例えば１０００個）であり、後述するようにＰＯＳ端末３から景品払出信号を入力すると、対応する特殊景品をその数量だけ払出すようになっている。
【００２０】
次に、上記構成の作用について説明する。
遊技者が、獲得したパチンコ玉を計数したい場合は、獲得したパチンコ玉を計数装置２の計数部へ投入する。
計数装置２は、パチンコ玉が投入されたときは、計数処理を実行する。
計数装置２による計数終了後、遊技者が計数装置２の交換釦９を押下げると、計数装置２は、所定の計数情報（計数したパチンコ玉である計数玉を特定可能な情報）を記録したレシートを発行する。従って、遊技を終了する遊技者は、計数装置２から発行されたレシートを景品交換カウンタに提出する。
【００２１】
景品交換担当の従業員は、遊技者が提出したレシートのバーコードをＰＯＳ端末３のスキャナ等により読取ることによりレシートを受付ける。
図３は、ＰＯＳ端末の処理を示すフローチャートである。この図３において、ＰＯＳ端末は、レシートを受付けたときは（Ｓ１：ＹＥＳ）、混雑タイマ（例えば２０秒）が作動中かを判断する（Ｓ２）。この混雑タイマは、後述するように交換処理が混雑状態にあるか（「遊技者が交換処理のために待機状態にあるか否か」に相当）を判定するためのものである。遊技者が交換処理を待機していない通常状態では、混雑タイマは作動していないので（Ｓ２：ＮＯ）、混雑フラグをリセットする（Ｓ４）。
【００２２】
次に、レシートから特定可能な計数玉数を特定し、その計数玉数を残玉数として記憶してから（Ｓ５）、交換釦９が押下げられたか（Ｓ６）、ＰＬＵ釦８が押下げられたか（Ｓ１２）、キャンセル釦１１が押下げられたか（Ｓ１５）、残玉数が終了可能数（例えば１０玉）以下か（Ｓ１９）を判断する。
【００２３】
従業員は、ＰＯＳ端末３によりレシートから情報を読取ったときは、ＰＯＳ端末３の交換釦９を押下げる。
ＰＯＳ端末３は、交換釦９が押下げられたとき（「第１の操作を受付け」に相当）は（Ｓ６：ＹＥＳ）、混雑フラグがセットされているかを判断する（Ｓ７）。この場合、混雑フラグがセットされていないことから（Ｓ７：ＮＯ）、残玉数により交換可能な特殊景品を仮特定する（Ｓ１０）。つまり、遊技者によっては、レシートの受付後に心変わりすることもあることから、このような変更を受付け可能とするのである。
【００２４】
上述のようにして残玉数が終了可能数以下となったときは（Ｓ１９：ＹＥＳ）、終了釦１０も押下げられたかも判断するようになる（Ｓ２０）。
従業員は、遊技者が特殊景品以外の景品を希望したとき、或いは上述のように残玉数から仮特定した特殊景品相当の玉数を減算した結果、端玉が生じたときは、ＰＯＳ端末３において遊技者が希望する一般景品に該当するＰＬＵ釦８を押下げる。
【００２５】
ＰＯＳ端末３は、ＰＬＵ釦８が押下げられたときは（Ｓ１２：ＹＥＳ）、該当景品を仮特定し（Ｓ１３）、残玉数から仮特定した景品相当の玉数を減算してから（Ｓ１４）、キャンセル釦１１が押下げられたか（Ｓ１５）、残玉数が終了可能数以下となったか（Ｓ１９）、交換釦９が押下げられたか（Ｓ６）を判断する。
【００２６】
従業員がＰＬＵ釦８を間違って押下げたとき、或いは遊技者が特殊景品のキャンセルを希望したときは、キャンセル釦１１を押下げる。
ＰＯＳ端末３は、キャンセル釦１１が押下げられたときは（Ｓ１５：ＹＥＳ、「第３の操作を受付け」に相当）、景品の仮特定を解除する（Ｓ１６）。この場合、混雑フラグがセットされた状態で交換が確定している特殊景品については何ら処理しないが、混雑フラグがリセットした状態で仮特定した特殊景品については仮特定を解除する。
【００２７】
次に、残玉数に仮特定を解除した景品相当の玉数を加算してから（Ｓ１７）、混雑フラグがリセットされているかを判断する（Ｓ１８）。このとき、混雑フラグがリセットされているので（Ｓ１８：ＹＥＳ）、ステップＳ６に移行することによりレシートを受付けた直後の状態とする。
【００２８】
従業員は、上述のようにして景品の仮特定が終了して景品の交換を確定する場合は、ＰＯＳ端末３の終了釦を押下げる。このとき、従業員は、該当する一般景品を遊技者に手渡す。
ＰＯＳ端末３は、終了釦１０が押下げられたとき（Ｓ２０：ＹＥＳ、「第２の操作を受付け」に相当）は、仮特定している全景品の交換を確定（計数情報と対応付け）し（Ｓ２１）、残玉数を０とすると共に（Ｓ２２）、混雑タイマの作動を開始する（Ｓ２３）。このとき、混雑フラグはリセットされているので、払出すべき景品品種（異なる対価の特殊景品）及び数量が特定可能な景品払出信号を景品払出装置６に出力してから（Ｓ２５）、リターンする。
【００２９】
景品払出装置６は、ＰＯＳ端末３から景品払出信号を受信したときは、収納している特殊景品の内、当該景品払出信号が示す景品品種の特殊景品を所定数だけ払出す。従って、遊技者は、景品払出装置６から払出された特殊景品を受取ることができる。尚、地域によっては、景品払出装置６から払出された特殊景品を遊技者が直接受取ることを禁止している場合があり、このような場合は、景品払出装置６から特殊景品を従業員側に払出すように設置し、景品払出装置から払出された特殊景品を従業員が遊技者に手渡す。
【００３０】
上述のようにして、遊技者がレシートを景品交換カウンタに提出した場合は、交換釦９に対する操作により特殊景品を仮特定し、ＰＬＵ釦８に対する操作により一般景品を仮特定し、終了釦１０に対する操作により仮特定の景品の交換を最終的に確定し、さらに仮特定した特殊景品をキャンセル釦１１に対する操作によりキャンセル可能としたので、交換処理を確定するまでは遊技者によるキャンセルを受付けることが可能となる。
【００３１】
ところで、景品払出装置６からの特殊景品の払出しは、払出すべき特殊景品の数が多くなるほど時間を要することから、特殊景品の数が多くなるほど、一人の遊技者に対応しなければならない従業員の処理時間が増大する。このため、景品交換を希望する遊技者が多くなると、景品交換を待機する遊技者が多くなり、遊技者が不快感を覚えるようになる。
【００３２】
そこで、本実施例では、交換処理の混雑時は、次のようにして混雑の解消を図るようにした。
即ち、ＰＯＳ端末３は、レシートを受付けた場合に混雑タイマが作動中のとき（終了釦１０が押下げられてから例えば２０秒以内）は（Ｓ２：ＹＥＳ）、混雑であると判断し、混雑フラグをセットする（Ｓ３）。従業員が特殊景品と交換するために交換釦９を押下げると、ＰＯＳ端末３は、交換釦９が押下げられたときに（Ｓ６：ＹＥＳ）、混雑フラグがセットされていることから（Ｓ７：ＹＥＳ）、残玉数により交換可能な特殊景品の交換を確定してから（Ｓ８）、景品交換信号を景品払出装置６に出力する（Ｓ９）。以後の動作は、上述した混雑フラグがリセットされている場合と同一であるが、異なる点は、終了釦１０が押下げられた場合に（Ｓ２０：ＹＥＳ）、混雑フラグがセットされていることから（Ｓ２４：ＹＥＳ）、景品払出信号を出力することなくリターンすることである。
【００３３】
このような動作により、従業員が、混雑時にＰＯＳ端末３の交換釦９を押下げた場合は、景品払出装置６に対して景品払出信号が直ちに出力されるようになるので、景品払出装置６から特殊景品が払出されるようになる。この場合、従業員は、端玉が残っているときは、ＰＬＵ釦８に対する操作により遊技者が希望する一般景品を選択することにより景品交換を行うようになるので、特殊景品の払出しと一般景品の交換処理とを並列に行うことができる。従って、一人の遊技者に要する交換処理時間の短縮を図ることができるので、終了釦１０により特殊景品の交換を確定する場合に比較して、交換処理の混雑の解消を図ることが可能となる。
【００３４】
このような実施例によれば、ＰＯＳ端末３において交換処理の混雑時は、終了釦１０ではなく交換釦９に対する押下げに応じて景品払出信号を景品払出装置６へ出力するようにしたので、払出時間を要する特殊景品の払出しと一般景品の交換処理とを並列に実行することができる。従って、ＰＯＳ端末３の終了釦１０に対する押下げにより景品払出信号を景品払出装置６へ出力するだけの構成のものと違って、特殊景品の交換確定の猶予を確保しながら、混雑時には景品交換を円滑に行うことが可能となる。
しかも、交換処理が混雑したかを判断する判断手段を、ＰＯＳ端末３の混雑タイマにより構成するようにしたので、特別な手段を用いることなく実施できる。
【００３５】
本発明は、上記実施例に限定されることなく、次のように変形または拡張できる。
ＰＯＳ端末３が受付ける記憶媒体は、レシート以外の記憶媒体であってもよい（例えばカード等（この場合、カードリーダ等が受付手段に相当することになる））。また、獲得した遊技媒体は、当日に獲得した遊技媒体に限定されることはない。つまり、遊技者毎の口座に、過去に獲得した遊技媒体を貯蓄する、所謂、貯玉等であってもよい。
【００３６】
実施例では、混雑フラグを混雑タイマにより設定したが、このようなタイマを設けず、交換処理の間の所定時間を特定するようにしても良い。例えば、交換終了時刻とレシート受付時刻とを比較する等。また、図４に示すように所定期間毎に混雑フラグを設定するか否かを予め設定しておき、図４に示すような設定に基づいて混雑フラグを設定するようにしてもよい。さらに、カメラ等の撮像手段を設け、その画像に基づいて混雑フラグを設定するようにしても良いし、従業員の判断により、混雑状況を判断し、その判断結果を入力する混雑釦（第４操作受付手段に相当）を設け、その混雑釦の押下げ（第４の操作に相当）により混雑フラグを設定するようにしても良い（この場合、混雑釦の押下げを混雑フラグがセットされている場合の交換釦の押下げと同等の処理としても良い）。
【００３７】
実施例では管理装置４を設けたが、管理装置４を設けず、ＰＯＳ端末３や計数装置２のみでシステムを構築するようにしても良い。
実施例では、残玉数が終了可能数以下とならなければ終了釦１０を受付けない構成としたが、受付けるような構成としても良い。この場合、交換可能な特殊景品を選択した（終了可能数以下とするため、必要であれば一般景品を選択し、選択した一般景品を表示する）とみなして交換処理を確定すれば良い。
【図面の簡単な説明】
【００３８】
【図１】本発明の一実施例における全体構成を示す概略図
【図２】ＰＯＳ端末の斜視図
【図３】ＰＯＳ端末の交換処理を示すフローチャート
【図４】本発明の変形例を示す時間帯別の混雑フラグを示す図
【符号の説明】
【００３９】
図面中、１は遊技台、２は計数装置、３はＰＯＳ端末（受付手段、交換手段、出力手段、判定手段）、４は管理装置、６は景品払出装置、９は交換釦（第１操作受付手段）、１０は終了釦（第２操作受付手段）、１１はキャンセル釦（第３操作受付手段）である。
【図１】
2008229148.tif 000003
【図２】
2008229148.tif 000004
【図３】
2008229148.tif 000005
【図４】
2008229148.tif 000006